(57)【要約】【課題】カテーテルの余った部分の垂れ下がりをなくすとともにカテーテルの固定に必要なスペースを従来よりも減らすことができるカテーテル固定器具を提供する。【解決手段】カテーテル固定器具１０Ａは、生体内に挿入されたカテーテル１２を皮膚４４上に固定するために使用される。カテーテル固定器具１０Ａは、本体部２６と、本体部２６に設けられ、カテーテル１２に固定された固定具１８を固定可能に構成された固定部２８と、本体部２６に設けられ、カテーテル１２の一部を収納可能な溝部３０と、本体部２６を皮膚４４に固定するための粘着部３２とを備える。【選択図】図６
2017164257.tif 000002
【特許請求の範囲】
【請求項１】
生体内に挿入されたカテーテルを皮膚上に固定するためのカテーテル固定器具であって、
本体部と、
前記本体部に設けられ、前記カテーテルに固定された固定具を固定可能に構成された固定部と、
前記本体部に設けられ、前記カテーテルの一部を収納可能な溝部と、
前記本体部を前記皮膚に固定するための接着部と、を備え、
前記溝部は、前記本体部の側周面に設けられている、
ことを特徴とするカテーテル固定器具。
【請求項２】
請求項１記載のカテーテル固定器具において、
前記溝部は、前記本体部に前記カテーテルを巻き付けて収納可能な構成を含む、
ことを特徴とするカテーテル固定器具。
【請求項３】
請求項１又は２記載のカテーテル固定器具において、
前記溝部は、前記側周面の周方向に延在している、
ことを特徴とするカテーテル固定器具。
【請求項４】
請求項１〜３のいずれか１項に記載のカテーテル固定器具において、
前記溝部は、前記溝部の深さ方向に互いに隣接した複数の溝を有し、前記カテーテルを複数周巻き付け可能である、
ことを特徴とするカテーテル固定器具。
【請求項５】
請求項１〜４のいずれか１項に記載のカテーテル固定器具において、
前記固定部は、前記本体部の厚さ方向に深さを有し、前記固定具を収容可能に構成されている、
ことを特徴とするカテーテル固定器具。
【請求項６】
請求項５記載のカテーテル固定器具において、
前記固定部は、前記本体部の底面に開口している、
ことを特徴とするカテーテル固定器具。
【請求項７】
請求項６記載のカテーテル固定器具において、
前記固定部は、前記固定具の本体を収容可能な第１収容部と、前記本体から側方に突出した突出部を収容可能な第２収容部とを有する、
ことを特徴とするカテーテル固定器具。
【請求項８】
請求項１〜５のいずれか１項に記載のカテーテル固定器具において、
前記本体部は、基部と、前記基部に着脱可能な蓋部とを有し、前記基部と前記  蓋部とにより前記固定具を収容可能な収容室を形成し、
前記溝部は、前記蓋部に設けられている、
ことを特徴とするカテーテル固定器具。
【請求項９】
請求項１〜８のいずれか１項に記載のカテーテル固定器具において、
前記本体部は、前記固定部に連通するとともに前記カテーテルの前記固定具よりも先端側の一部を収納可能な第１収納溝と、前記固定部と前記溝部とを連通するとともに前記カテーテルの前記固定具よりも基端側の一部を収納可能な第２収納溝とを有する、
ことを特徴とするカテーテル固定器具。
【発明の詳細な説明】
【技術分野】
【０００１】
本発明は、カテーテルを皮膚上に固定するためのカテーテル固定器具に関する。
【背景技術】
【０００２】
例えば、輸液、薬液等の液体を生体に投与するためにカテーテルが生体内に挿入される。従来、カテーテルが患者に装着した位置からずれるのを防止するために、カテーテルに固定されたカテーテル固定具を皮膚に縫合することは公知である。縫合の代わりに、例えば下記特許文献１に開示されたような粘着部が設けられた固定デバイスを用いて固定する方法も公知である。
【先行技術文献】
【特許文献】
【０００３】
【特許文献１】米国特許出願公開第２０１２／０２１５１７３号明細書
【発明の概要】
【発明が解決しようとする課題】
【０００４】
しかしながら、上述したいずれの方法においても、皮膚上にカテーテルを固定した状態ではカテーテルのカテーテル固定具よりも基端側部分（以下、「カテーテルの余った部分」という）が垂れ下がり、邪魔になる。カテーテルの余った部分を固定し、保護するためには、サージカルテープやドレッシングフィルム等の粘着シートを別途貼り付けることが必要となる。また、粘着シートを貼り付けるためのスペースも必要となる。
【０００５】
本発明はこのような課題を考慮してなされたものであり、カテーテルの余った部分の垂れ下がりをなくすとともにカテーテルの固定に必要なスペースを従来よりも減らすことができるカテーテル固定器具を提供することを目的とする。
【課題を解決するための手段】
【０００６】
上記の目的を達成するため、本発明のカテーテル固定器具は、生体内に挿入されたカテーテルを皮膚上に固定するためのカテーテル固定器具であって、本体部と、前記本体部に設けられ、前記カテーテルに固定された固定具を固定可能に構成された固定部と、前記本体部に設けられ、前記カテーテルの一部を収納可能な溝部と、前記本体部を前記皮膚に固定するための接着部と、を備え、前記溝部は、前記本体部の側周面に設けられていることを特徴とする。
【０００７】
上記の構成を採用した本発明のカテーテル固定器具によれば、カテーテルを皮膚上に固定する際に余ったカテーテルを、本体部の側周面に設けられた溝部に収納することができる。これにより、カテーテルを簡単に固定することができるとともに、サージカルテープ等の粘着シートでカテーテルを固定することなく、カテーテルの垂れ下がりをなくすことができ、カテーテル固定時の煩わしさを解消することができる。また、本体部の厚さを薄くしやすく、本体部のコンパクト化を図ることができ、加えて、粘着シートでカテーテルを固定する場合と比較して、カテーテルの固定のためのスペースが減るため、患者の負担を軽減することができる。さらに、固定に必要な接着面積を従来よりも減らすことにより、医療従事者によるカテーテル交換時の負担及びカテーテル留置中の不快感等の患者負担を軽減することができる。
【０００８】
上記のカテーテル固定器具において、前記溝部は、前記本体部に前記カテーテルを巻き付けて収納可能であってもよい。
【０００９】
この構成により、カテーテルを簡単に収納することができるとともに、カテーテルの収納長さを簡単に調整することができる。
【００１０】
上記のカテーテル固定器具において、前記溝部は、前記側周面の周方向に延在していてもよい。
【００１１】
この構成により、カテーテルの収納可能長さを稼ぎやすい。
【００１２】
上記のカテーテル固定器具において、前記溝部は、前記溝部の深さ方向に互いに隣接した複数の溝を有し、前記カテーテルを複数周巻き付け可能であってもよい。
【００１３】
この構成により、カテーテルの収納長さをより長くすることができる。
【００１４】
上記のカテーテル固定器具において、前記固定部は、前記本体部の厚さ方向に深さを有し、前記固定具を収容可能に構成されていてもよい。
【００１５】
この構成により、固定具をしっかりと固定することできる。
【００１６】
上記のカテーテル固定器具において、前記固定部は、前記本体部の底面に開口していてもよい。
【００１７】
この構成により、皮膚上に載った固定具に本体部を被せるだけで簡単にカテーテルの固定を行うことができる。
【００１８】
上記のカテーテル固定器具において、前記固定部は、前記固定具の本体を収容可能な第１収容部と、前記本体から側方に突出した突出部を収容可能な第２収容部とを有してもよい。
【００１９】
この構成により、突出部を有する固定具を好適に固定することができる。
【００２０】
上記のカテーテル固定器具において、前記本体部は、基部と、前記基部に着脱可能な蓋部とを有し、前記基部と前記蓋部とにより前記固定具を収容可能な収容室を形成し、前記溝部は前記蓋部に設けられていてもよい。
【００２１】
この構成により、基部を蓋部に装着した状態では本体部内に収容室が形成され、この収容室に固定具が収容されるため、固定具を保護することができる。さらに、カテーテルサイズ（外形）に合わせて蓋部を選択し、基部に装着することができる。
【００２２】
上記のカテーテル固定器具において、前記本体部は、前記固定部に連通するとともに前記カテーテルの前記固定具よりも先端側の一部を収納可能な第１収納溝と、前記固定部と前記溝部とを連通するとともに前記カテーテルの前記固定具よりも基端側の一部を収納可能な第２収納溝とを有してもよい。
【００２３】
この構成により、本体部にカテーテル及び固定具をより安定的に固定することができる。
【００２４】
上記のカテーテル固定器具において、前記溝部は、溝幅の異なる複数の溝を有してもよい。
【００２５】
この構成により、複数の異なるカテーテル径に対応することができる。
【００２６】
上記のカテーテル固定器具において、前記複数の溝は、前記溝部の深さ方向に互いに隣接していてもよい。
【００２７】
この構成により、本体部の厚さを増すことなく複数の溝を設けることができる。
【００２８】
上記のカテーテル固定器具において、前記固定部は、前記本体部の厚さ方向に貫通していてもよい。
【００２９】
この構成により、本体部の厚さをより薄くすることができる。
【００３０】
上記のカテーテル固定器具において、前記固定部は、前記本体部の上面に開口していてもよい。
【００３１】
この構成により、固定具を皮膚から離した状態でカテーテルを固定することができる。従って、固定具が皮膚に接触しないため、患者の不快感を低減できる。また、固定部を目視しながら固定部に固定具をセットすることができるため、固定具をセットしやすい。
【００３２】
上記のカテーテル固定器具において、前記固定部は、前記基部に設けられていてもよい。
【００３３】
この構成により、基部に設けられ固定部に固定具をセットした後に、基部に蓋部を装着することで、固定具を簡単に本体部内に収容することができる。
【００３４】
上記のカテーテル固定器具において、前記固定部は、前記固定部の底部から突出した突起部を有し、前記突起部は、前記固定具に設けられた孔部に挿入可能であってもよい。
【００３５】
この構成により、本体部に対する固定具のずれを抑止し、皮膚上にカテーテルを一層好適に固定することができる。
【００３６】
上記のカテーテル固定器具において、前記第１収納溝は、前記本体部の側周面に連通していてもよい。
【００３７】
この構成により、固定具から先端方向に延出したカテーテルを第１収納溝に確実に収納することができる。
【００３８】
上記のカテーテル固定器具において、前記溝部の開口部の幅は、前記溝部における前記開口部よりも奥側の最大部分の幅よりも小さくてもよい。
【００３９】
この構成により、溝部にカテーテルが収納された状態でカテールが溝部から外れにくい。
【発明の効果】
【００４０】
本発明のカテーテル固定器具によれば、カテーテルの余った部分の垂れ下がりをなくすとともにカテーテルの固定に必要なスペースを従来よりも減らすことができる。
【図面の簡単な説明】
【００４１】
【図１】第１実施形態に係るカテーテル固定器具の上面側からの斜視図である。
【図２】図１におけるＩＩ−ＩＩ線に沿ったカテーテル固定器具の断面図である。
【図３】第１実施形態に係るカテーテル固定器具の底面側からの斜視図である。
【図４】患者に挿入されたカテーテルを示す斜視図である。
【図５】第１実施形態に係るカテーテル固定器具の使用方法を説明する第１の図である。
【図６】第１実施形態に係るカテーテル固定器具の使用方法を説明する第２の図である。
【図７】他の構成例に係る溝部を備えたカテーテル固定器具の断面図である。
【図８】さらに他の構成例に係る溝部を備えたカテーテル固定器具の断面図である。
【図９】第２実施形態に係るカテーテル固定器具の上面側からの斜視図である。
【図１０】図９におけるＸ−Ｘ線に沿ったカテーテル固定器具の断面図である。
【図１１】第３実施形態に係るカテーテル固定器具の分解斜視図である。
【図１２】図１１におけるＸＩ−ＸＩ線に沿ったカテーテル固定器具の断面図である。
【図１３】第３実施形態に係るカテーテル固定器具の使用方法を説明する第１の図である。
【図１４】第３実施形態に係るカテーテル固定器具の使用方法を説明する第２の図である。
【図１５】第３実施形態に係るカテーテル固定器具の使用方法を説明する第３の図である。
【発明を実施するための形態】
【００４２】
以下、本発明に係るカテーテル固定器具について好適な複数の実施形態を挙げ、添付の図面を参照しながら説明する。なお、第２及び第３実施形態において、第１実施形態と同一又は同様な要素には同一の参照符号を付し、詳細な説明を省略する。
【００４３】
［第１実施形態］
図１に示す第１実施形態に係るカテーテル固定器具１０Ａは、生体内に挿入されたカテーテル１２を皮膚４４上に固定するために使用される（図６参照）。図４において、固定対象であるカテーテル１２は、流体（輸液、薬液、血液等）の投与に使用され、あるいは、体液（血液等）を生体内から抜き取るために使用され得る。カテーテル１２は、シース等を介して生体内に挿入される。カテーテル１２は、可撓性を有する細径のカテーテル本体１４（カテーテルシャフト）と、カテーテル本体１４の基端部に接続されたカテーテルハブ１６とを備える。
【００４４】
カテーテル本体１４の長手方向中間部にはカテーテル固定具１８（以下、「固定具１８」という）が固定されている。固定具１８は、カテーテル本体１４を保持する本体２０と、本体２０の両側から突出した一対の突出部２２とを有する。カテーテル本体１４は本体２０に対し移動不可能に取り付けられている。突出部２２は、本体２０の両側下部から側方に突出している。突出部２２は板状に形成されている。突出部２２の厚さは、本体２０の厚さよりも薄い。突出部２２には、突出部２２を厚さ方向に貫通した孔部２３が形成されている。
【００４５】
図１及び図２において、カテーテル固定器具１０Ａは、本体部２６と、カテーテル１２に固定された固定具１８を固定可能に構成された固定部２８と、カテーテル１２の一部を収納可能な溝部３０とを備える。また、図２に示すように、カテーテル固定器具１０Ａは、本体部２６を皮膚４４に固定するための接着部の一態様である粘着部３２を備える。粘着部３２は皮膚４４に対して着脱自在に固定される。
【００４６】
本体部２６は、上面２６ａと、上面２６ａと反対側の面を構成する底面２６ｂと、上面２６ａの外周縁と底面２６ｂの外周縁とを繋ぐ側周面２６ｃとを有する。本体部２６は、幅に対して厚さが小さい扁平形状に形成されている。第１実施形態では、本体部２６は、平面視で円形状に形成されている。なお、本体部２６は、平面視で楕円状に形成されていてもよい。
【００４７】
本体部２６は、固定具１８を介してカテーテル１２を皮膚４４上に適切に固定できるように、硬質材料により構成されるのがよい。本体部２６の構成材料としては、例えば、ポリプロピレン、ポリカーボネート、ポリアミド、ポリサルホン、ポリアリレート、ポリ塩化ビニル等が挙げられる。なお、後述する第２及び第３実施形態に係るカテーテル固定器具１０Ｂ、１０Ｃの本体部５８、７０の構成材料も、本体部２６の構成材料と同じでよい。
【００４８】
固定部２８は、本体部２６に設けられており、本体部２６の厚さ方向に深さを有し、固定具１８を収容可能に構成されている。図２に示すように、第１実施形態において、固定部２８は、本体部２６の底面２６ｂに開口している。具体的に、固定部２８は、本体部２６の厚さ方向に貫通している。従って、固定部２８は、本体部２６の上面２６ａにも開口している。なお、固定部２８は、本体部２６の底面２６ｂのみに開口し、固定部２８の上部は本体部２６の上面２６ａによって閉じられていてもよい。
【００４９】
第１実施形態において、固定部２８は、固定具１８の本体２０を収容可能な第１収容部３４と、固定具１８の突出部２２を収容可能な第２収容部３６とを有する。固定部２８のうち第１収容部３４が、本体部２６を厚さ方向に貫通している。なお、図示例の第１収容部３４は、固定具１８の本体２０（図４参照）の形状に適合するように平面視で略四角形状に形成されている。なお、第１収容部３４は、固定具１８の本体２０の形状に応じて他の形状に形成される。
【００５０】
第２収容部３６は、本体部２６の底面２６ｂに形成された溝の形態を有し、第１収容部３４の両側に一対形成されている。従って、一対の第２収容部３６は、第１収容部３４を介して互いに対向している。第２収容部３６の厚さ（溝深さ）は、第１収容部３４の厚さよりも薄い。
【００５１】
溝部３０は、本体部２６に設けられている。溝部３０は、本体部２６の側周面２６ｃに環状に形成されており、カテーテル１２（カテーテル本体１４）を巻き付けて収納可能である。溝部３０は、側周面２６ｃに開口し、本体部２６の中心に向かって深さを有し、側周面２６ｃの周方向に略全周に亘って延在している。
【００５２】
図２に示すように、溝部３０は、カテーテル１２を収容し保持できるような断面形状を有する。具体的に、溝部３０の開口部の幅Ｗ１（側周面２６ｃにおける溝部３０の幅）は、溝部３０における開口部よりも奥側の最大部分の幅Ｗ２（本体部２６内における溝部３０の最大幅）よりも小さい。図示例の溝部３０の断面形状はＣ字状を呈している。
【００５３】
溝部３０は、カテーテル本体１４に係合可能な爪部３８を有する。第１実施形態において、爪部３８は、溝部３０の開口側の上部及び下部にそれぞれ設けられている。上側の爪部３８は、本体部２６の側周面２６ｃの全周に亘って延在している。下側の爪部３８は、側周面２６ｃの略全周（側周面２６ｃの全周のうち後述する第２収納溝４２を除く部分）に亘って延在している。
【００５４】
溝部３０では、このような爪部３８が設けられることにより、上述した幅Ｗ１が幅Ｗ２よりも小さくなっている。なお、爪部３８は、溝部３０の開口部側の上部及び下部のいずれか一方にだけ設けられてもよい。爪部３８は、溝部３０の延在方向に沿って間隔を置いて複数設けられていてもよい。
【００５５】
図２及び図３において、粘着部３２は、本体部２６の底面２６ｂに固定されている。粘着部３２は、シート状の部材（粘着シート）であり、底面２６ｂとの固定面と反対側の面が皮膚４４との粘着面３３となっている。図示例の粘着部３２は、本体部２６の底面２６ｂにおいて固定部２８と後述する第１収納溝４０及び第２収納溝４２とを除いた部分の略全体に設けられている。
【００５６】
なお、図では省略しているが、カテーテル固定器具１０Ａの初期状態で粘着部３２の粘着面３３には剥離可能な保護シートが貼り付けられている。カテーテル固定器具１０Ａを使用する際には、粘着部３２から保護シートを剥がすことにより粘着面３３を露出させ、粘着部３２を皮膚４４に貼り付ける。
【００５７】
図３に示すように、本体部２６は、さらに、図４に示したカテーテル１２の固定具１８から延出した部分を収納可能な第１収納溝４０及び第２収納溝４２を有する。具体的に、第１収納溝４０は、固定部２８（第１収容部３４）に連通するとともにカテーテル１２の固定具１８よりも先端側の一部を収納可能である。第１収納溝４０は、本体部２６の底面２６ｂに設けられている。第１収納溝４０の溝深さは、第１収容部３４の厚さよりも浅い。
【００５８】
第１収納溝４０の固定部２８と反対側の端部は、本体部２６の側周面２６ｃに到達していない。すなわち、第１収納溝４０の固定部２８と反対側の端部は、側周面２６ｃよりも固定部２８側に位置する。また、第１収納溝４０の固定部２８と反対側の端部は、側周面２６ｃ側（本体部２６の径方向外側）に向かって底面２６ｂ側に近づくように傾斜した傾斜面４１を有する。図示例の傾斜面４１は底面２６ｂ側に向かって湾曲しているが、底面２６ｂ側に向かって直線的に傾斜していてもよい。底面視で（底面２６ｂ側から本体部２６を厚さ方向と平行に見て）、第１収納溝４０は直線状である。なお、底面視で、第１収納溝４０は湾曲していてもよい。
【００５９】
第２収納溝４２は、固定部２８（第１収容部３４）と溝部３０とを連通するとともにカテーテル１２の固定具１８よりも基端側の一部を収納可能である。第２収納溝４２は、本体部２６の底面２６ｂに設けられている。第２収納溝４２の溝深さは、第１収容部３４の厚さよりも浅い。
【００６０】
第２収納溝４２の固定部２８と反対側の端部は、本体部２６の側周面２６ｃに設けられた溝部３０と連通している。第２収納溝４２の固定部２８と反対側の端部は、溝部３０に向かって弧状に湾曲した方向変換部２９を有する。方向変換部２９は、第２収納溝４２の延在方向に対して直線的に傾斜した傾斜面であってもよい。底面視で（底面２６ｂ側から本体部２６を厚さ方向と平行に見て）、第１収納溝４０は直線状である。
【００６１】
第１収納溝４０及び第２収納溝４２は、固定部２８を介して互いに対向し、同一直線上に配置されている。また、第１収納溝４０及び第２収納溝４２は、一対の第２収容部３６の離間方向と直交する同一直線状に配置されている。なお、本体部２６の底面視で、第１収納溝４０及び第２収納溝４２の一方又は両方は湾曲していてもよい。
【００６２】
次に、上記のように構成されたカテーテル固定器具１０Ａの作用及び効果を説明する。
【００６３】
図４において、カテーテル１２が患者Ｐに挿入されている。カテーテル１２は公知の方法で患者Ｐの体内に挿入される。具体的に、カテーテル本体１４のうち固定具１８が取り付けられた箇所よりも先端側の部分が患者Ｐの皮膚４４を介して血管内に挿入されている。従って、カテーテル１２のうち、カテーテル１２の刺入部４６よりも基端側部分が患者Ｐの体外に露出している。固定具１８よりも若干だけ先端側に刺入部４６がある。すなわち、刺入部４６から若干の距離を置いた位置に固定具１８が位置する。
【００６４】
患者Ｐに挿入されたカテーテル１２の位置ずれを防止するために、固定具１８を皮膚４４に固定する必要がある。また、カテーテル１２のうち固定具１８の基端部から延出した部分は余った部分１２ａ（以下、「カテーテル１２の余った部分１２ａ」という）であり、このカテーテル１２の余った部分１２ａをそのままにすると患者Ｐから垂れ下がってしまう。
【００６５】
そこで、以下のように、カテーテル固定器具１０Ａを用いてカテーテル１２を皮膚４４上に固定する。具体的に、医療従事者（医師、看護師等）であるユーザは、図５のように、固定具１８を覆うようにカテーテル固定器具１０Ａを皮膚４４に載せる。なお、ユーザは、カテーテル固定器具１０Ａを皮膚４４に載せる前に、粘着部３２から図示しない保護シートを剥がし、粘着面３３（図３参照）を露出させておく。カテーテル固定器具１０Ａを皮膚４４に載せることに伴って粘着部３２が皮膚４４に粘着することにより、本体部２６が皮膚４４に固定される。
【００６６】
この際、固定具１８は固定部２８に収容（挿入）される。具体的に、固定具１８の本体２０は第１収容部３４に収容され、固定具１８の突出部２２は第２収容部３６（図３参照）に収容される。固定具１８が固定部２８に収容されると、固定具１８は本体部２６に対する移動が規制される。従って、固定具１８は本体部２６によって皮膚４４に固定される。
【００６７】
固定具１８を覆うようにカテーテル固定器具１０Ａを皮膚４４に載せる際、カテーテル本体１４のうち固定具１８の先端と刺入部４６の間の部分は、本体部２６に設けられた第１収納溝４０（図３参照）に収納（挿入）される。また、この際、固定具１８の基端から延出したカテーテル本体１４の一部は、本体部２６に設けられた第２収納溝４２（図３参照）に収納（挿入）される。
【００６８】
次に、ユーザは、図６のように、本体部２６に設けられた溝部３０にカテーテル１２の余った部分１２ａを収納する。具体的には、ユーザは、本体部２６の側周面２６ｃの周方向に沿って形成された溝部３０に沿ってカテーテル１２（カテーテル本体１４）を巻き付けることにより、カテーテル１２を溝部３０に収納する。図６では、カテーテル１２の余った部分１２ａを略一周巻き付けている。この際、溝部３０に設けられた爪部３８がカテーテル１２に引っ掛かるため、カテーテル１２が溝部３０から外れにくい。
【００６９】
以上により、カテーテル固定器具１０Ａを用いてカテーテル１２を皮膚４４上に固定することができる。
【００７０】
以上説明したように、第１実施形態に係るカテーテル固定器具１０Ａによれば、カテーテル１２を皮膚４４上に固定する際にカテーテル１２の余った部分１２ａを溝部３０に収納することができる。これにより、サージカルテープ等の粘着シートを別途貼り付けることなく、カテーテル１２の垂れ下がりをなくすことができ、カテーテル固定時の煩わしさを解消することができる。また、粘着シートでカテーテル１２を固定する場合と比較して、カテーテル１２の固定のためのスペースが減るため、患者Ｐの負担を軽減することができる。さらに、固定に必要な粘着面積を従来よりも減らすことにより、医療従事者によるカテーテル交換時の負担及びカテーテル留置中の不快感等の患者負担を軽減することができる。
【００７１】
特に、カテーテル固定器具１０Ａでは、溝部３０は、カテーテル１２を巻き付けて収納可能であるため、カテーテル１２を簡単に収納することができるとともに、カテーテル１２の収納長さを簡単に調整することができる。
【００７２】
カテーテル固定器具１０Ａでは、溝部３０は、本体部２６の側周面２６ｃに設けられている。この構成により、カテーテル１２を簡単に収納することができるとともに、本体部２６の厚さを薄くしやすく、本体部２６の一層のコンパクト化を図りやすい。さらに、カテーテル固定器具１０Ａでは、溝部３０は、側周面２６ｃの周方向に延在しているため、カテーテル１２の収納可能長さを稼ぎやすい。
【００７３】
カテーテル固定器具１０Ａでは、固定部２８は、本体部２６の厚さ方向に深さを有し、固定具１８を収容可能に構成されているため、固定具１８をしっかりと固定することできる。
【００７４】
カテーテル固定器具１０Ａでは、固定部２８は、本体部２６の底面２６ｂに開口しているため、皮膚４４上に載った固定具１８に本体部２６を被せるだけで簡単にカテーテル１２の固定を行うことができる。特に、固定部２８は、本体部２６の厚さ方向に貫通しているため、本体部２６の厚さをより薄くすることができる。
【００７５】
カテーテル固定器具１０Ａでは、固定部２８は、固定具１８の本体２０を収容可能な第１収容部３４と、本体２０から側方に突出した突出部２２を収容可能な第２収容部３６とを有する。この構成により、突出部２２を有する固定具１８を好適に固定することができる。
【００７６】
カテーテル固定器具１０Ａでは、本体部２６は、固定部２８に連通するとともにカテーテル１２の固定具１８よりも先端側の一部を収納可能な第１収納溝４０と、固定部２８と溝部３０とを連通するとともにカテーテル１２の固定具１８よりも基端側の一部を収納可能な第２収納溝４２とを有する。この構成により、本体部２６にカテーテル１２及び固定具１８をより安定的に固定することができる。
【００７７】
上述したカテーテル固定器具１０Ａにおいて、図７に示すように、溝幅の異なる複数（図示例では３つ）の溝５１を有する溝部５０が設けられてもよい。各溝５１は、上述した溝部３０と同様に、本体部２６の側周面２６ｃに沿って周方向に環状に延在している。なお、溝部５０の溝幅とは、溝部５０の深さ方向（本体部２６の径方向）に対して直交する方向（本体部２６の厚さ方向）の大きさのことをいう。
【００７８】
複数の溝５１は、本体部２６の中心側に向かって順に小さくなっている。複数の溝５１は、複数のカテーテル径に適合するように形成されている。ユーザは、複数の溝５１のうち、使用するカテーテル径に適合する溝５１にカテーテル１２（カテーテル本体１４）を収納することができる。従って、複数の異なるカテーテル径に対応することができる。また、複数の溝５１は、溝部５０の深さ方向に互いに隣接している。これにより、本体部２６の厚さを増すことなく複数の溝５１を設けることができる。
【００７９】
複数の溝５１の間には、爪部５２（係合用突起）が設けられている。図示例の爪部５２は、溝部５０の上部及び下部に設けられている。爪部５２は、本体部２６の側周面２６ｃに沿って周方向に延在している。これにより、各溝５１に収納されたカテーテル１２が溝５１から外れにくい。なお、爪部５２は、溝部５０の上部及び下部のいずれか一方にだけ設けられてもよい。
【００８０】
図８のように、本体部２６には、同じ溝幅（大きさ）の複数（図示例では、３つ）の溝５５を有する溝部５４が設けられてもよい。複数の溝５５は、溝部５４の深さ方向に互いに隣接している。溝部５４は、カテーテル１２（カテーテル本体１４）を複数周（図示例では最大で３周）巻き付け可能である。このような溝部５４により、カテーテル１２の収納長さをより長くすることができる。
【００８１】
［第２実施形態］
図９及び図１０に示す第２実施形態に係るカテーテル固定器具１０Ｂは、本体部５８と、カテーテル１２に固定された固定具１８を固定可能に構成された固定部６０と、カテーテル１２の一部を収納可能な溝部３０とを備える。図１０に示すように、カテーテル固定器具１０Ｂは、さらに、本体部５８を皮膚４４に固定するための着脱可能な粘着部３２を備える。本体部５８は、上面５８ａと、上面５８ａと反対側の底面５８ｂと、上面５８ａの外周縁と底面５８ｂの外周縁とをつなぐ側周面５８ｃとを有し、幅に対して厚さが小さい扁平形状に形成されている。
【００８２】
固定部６０は、本体部５８に設けられており、本体部５８の厚さ方向に深さを有し、固定具１８を収容可能に構成されている。第２実施形態において、固定部６０は、本体部５８の上面５８ａに開口している。固定部６０の下部は、本体部５８の底面５８ｂによって閉じられている。すなわち、固定部６０は、本体部５８の上面５８ａに開口した凹部である。平面視で、固定部６０は略四角形状に形成されている。なお、固定部６０は、平面視で固定具１８の外形に適合するように形成されてもよい。
【００８３】
固定部６０は、固定部６０の底部６１から突出した一対の突起部６２（固定ピン）を有する。一対の突起部６２は固定具１８の突出部２２に設けられた孔部２３に挿入可能である。一対の突起部６２は、互いに離間して平行に延在している。各突起部６２の長さ（底部からの突出高さ）は、固定具１８の厚さよりも長い。
【００８４】
カテーテル固定器具１０Ｂの溝部３０は、カテーテル固定器具１０Ａの溝部３０と同様に構成されている。カテーテル固定器具１０Ｂの粘着部３２は、本体部５８の底面５８ｂの略全体に設けられている。固定部２８が底面２６ｂに開口している本体部２６（図２参照）と異なり、カテーテル固定器具１０Ｂの本体部５８では固定部６０が底面５８ｂで開口していないため、粘着部３２の面積は、カテーテル固定器具１０Ａの粘着部３２の面積よりも大きい。
【００８５】
図９に示すように、本体部５８は、さらに、カテーテル１２の固定具１８から延出した部分を収納可能な第１収納溝６４及び第２収納溝６６を有する。具体的に、第１収納溝６４は、固定部６０に連通するとともにカテーテル１２の固定具１８よりも先端側の一部を収納可能である。第１収納溝６４は、本体部５８の上面５８ａに設けられている。第１収納溝６４の固定部６０と反対側の端部は、本体部５８の側周面５８ｃに開口している。従って、第１収納溝６４は、固定部６０と側周面５８ｃとを連通している。
【００８６】
第２収納溝６６は、固定部６０と溝部３０とを連通するとともにカテーテル１２の固定具１８よりも基端側の一部を収納可能である。第２収納溝６６は、本体部５８の上面５８ａに設けられている。第２収納溝６６の固定部６０と反対側の端部は、本体部５８の側周面５８ｃに設けられた溝部３０と連通している。
【００８７】
上記のように構成されたカテーテル固定器具１０Ｂを用いてカテーテル１２を皮膚４４上に固定する場合、ユーザは、刺入部４６の近辺の皮膚４４上に、粘着部３２を介して本体部５８を貼り付けることにより、カテーテル固定器具１０Ｂを皮膚４４上に固定する。
【００８８】
次に、ユーザは、カテーテル１２に固定された固定具１８を固定部６０にセット（収納）する。この際、固定部６０が本体部５８の上面５８ａに開口しているため、固定具１８を皮膚４４から離した状態でカテーテル１２を固定することができる。従って、固定具１８が皮膚４４に接触しないため、患者Ｐの不快感を低減できる。また、固定部６０を目視しながら固定部６０に固定具１８をセットすることができるため、固定具１８をセットしやすい。
【００８９】
固定部６０に固定具１８をセットすることに伴って、固定部６０の底部から突出した突起部６２が固定具１８に設けられた孔部２３に挿入される。これにより、本体部５８に対する固定具１８のずれを抑止し、皮膚４４上にカテーテル１２を一層好適に固定することができる。
【００９０】
次に、ユーザは、本体部５８に設けられた溝部３０にカテーテル１２の余った部分１２ａ（図４参照）を巻き付けることにより、カテーテル１２の余った部分１２ａを溝部３０に収納する。溝部３０に収納されたカテーテル１２は、溝部３０によって本体部５８の厚さ方向の移動が規制されている。従って、第２収納溝６６に収納されたカテーテル１２は第２収納溝６６からの抜けが防止されている。このため、固定具１８が固定部６０から抜け出ることを防止することができる。
【００９１】
なお、図１０において仮想線で示すように、カテーテル固定器具１０Ｂは、本体部５８は、本体部５８に着脱可能な蓋部６８を有していてもよい。このような蓋部６８が設けられることにより、本体部５８内に収納された固定具１８を保護することができる。この場合、本体部５８と蓋部６８との接続構造は、後述する第３実施形態に係るカテーテル固定器具１０Ｃの本体部７０の基部７４と蓋部７６との接続構造と同様に構成されてよい。
【００９２】
以上のように、第２実施形態に係るカテーテル固定器具１０Ｂによっても、第１実施形態に係るカテーテル固定器具１０Ａと同様に、カテーテル固定時の煩わしさを解消することができるとともに、カテーテル１２の固定スペースの減少により患者Ｐの負担を軽減することができる。
【００９３】
なお、第２実施形態のうち、第１実施形態と共通する部分については、第１実施形態と同一又は同様の作用及び効果が得られる。
【００９４】
［第３実施形態］
図１１及び図１２に示す第３実施形態に係るカテーテル固定器具１０Ｃは、本体部７０と、カテーテル１２に固定された固定具１８を固定可能に構成された固定部７２と、カテーテル１２の一部を収納可能な溝部５０と、本体部７０を皮膚４４に固定するための着脱可能な粘着部３２とを備える。
【００９５】
本体部７０は、基部７４と、基部７４に着脱可能な蓋部７６とを有し、基部７４と蓋部７６とにより固定具１８を収容可能な収容室７９（図１５参照）が形成される。基部７４に蓋部７６を接続した状態で、本体部７０は、幅に対して厚さが小さい扁平形状に形成されている。第３実施形態では、本体部７０は、平面視で円形状に形成されている。なお、本体部７０は、平面視で楕円状に形成されていてもよい。
【００９６】
基部７４は、底板部７８と、底板部７８から上方に突出した周壁部８０とを有する。周壁部８０の外径は、底板部７８の外径よりも小さい。すなわち、周壁部８０は、底板部７８の外周部よりも径方向内側に配置されている。周壁部８０の上端部（底板部７８からの突出端部）には、径方向外側に膨出した係合部８２が設けられている。係合部８２は、蓋部７６に設けられた後述する係合溝８８に係合可能である。係合部８２は、周壁部８０の周方向に沿って延在している。
【００９７】
図１２に示すように、蓋部７６は、天板部８４と、天板部８４の外周部から下方に突出した周壁部８６とを有する。天板部８４と周壁部８６とによって、基部７４の周壁部８０が挿入可能な凹部８７が形成されている。周壁部８６の内周上端部には、基部７４の周壁部８０に設けられた係合部８２が係合可能な係合溝８８が形成されている。係合溝８８は、周壁部８６の周方向に沿って環状に延在している。
【００９８】
周壁部８６の下部には、下方に開口し且つ周壁部８６を厚さ方向に貫通した一対の切欠部９０が設けられている。一対の切欠部９０は、カテーテル１２の固定具１８から延出した部分を受け入れ可能である。一対の切欠部９０は、凹部８７を介して互いに対向し、同一直線上に配置されている。
【００９９】
固定部７２は、基部７４に設けられている。固定部７２は、本体部７０の厚さ方向に深さを有し、固定具１８を収容可能に構成されている。具体的に、固定部７２は、基部７４の底板部７８と周壁部８０とによって構成された上方に開口する凹状の溝である。第２実施形態における固定部６０（図９参照）と同様に、固定部７２は、固定部７２の底部７３（底板部７８の上面）から突出した一対の突起部６２（固定ピン）を有する。
【０１００】
溝部５０は、蓋部７６に設けられている。溝部５０は、蓋部７６の側周面７７に形成されている。溝部５０は、図７に示した溝部５０と同様に、溝幅の異なる複数（図示例では３つ）の溝５１を有する。なお、蓋部７６において、複数の溝５１を有する溝部５０に代えて、図３に示した単一の溝からなる溝部３０が設けられてもよい。あるいは、溝部５０に代えて、図８に示した溝部５４が設けられてもよい。
【０１０１】
また、図１１に示すように、本体部７０は、カテーテル１２の固定具１８から延出した部分を収納可能な第１収納溝９２及び第２収納溝９４を有する。具体的に、第１収納溝９２及び第２収納溝９４は、基部７４の周壁部８０に設けられている。第１収納溝９２は、固定部７２に連通するとともにカテーテル１２の固定具１８よりも先端側の一部を収納可能である。第１収納溝９２は、周壁部８０の上面に開口している。第１収納溝９２は、周壁部８０を厚さ方向（周壁部８０の径方向）に貫通するスリットの形態を有する。
【０１０２】
第２収納溝９４は、固定部７２に連通するとともにカテーテル１２の固定具１８よりも基端側の一部を収納可能である。第２収納溝９４は、周壁部８０の上面に開口している。第２収納溝９４は、周壁部８０を厚さ方向（周壁部８０の径方向）に貫通するスリットの形態を有する。第１収納溝９２及び第２収納溝９４は、固定部７２を介して互いに対向し、同一直線上に配置されている。
【０１０３】
カテーテル固定器具１０Ｃの粘着部３２は、図１０に示したカテーテル固定器具１０Ｂの粘着部３２と同様に構成されている。
【０１０４】
上記のように構成されたカテーテル固定器具１０Ｃを用いてカテーテル１２を皮膚４４上に固定する場合、ユーザは、図１３のように、刺入部４６の近辺の皮膚４４上に、粘着部３２を介して基部７４を貼り付けることにより、基部７４を皮膚４４上に固定する。次に、ユーザは、カテーテル１２に固定された固定具１８を固定部７２にセット（収納）する。この際、固定部７２が上方に開口しているため、固定具１８を皮膚４４から離した状態でカテーテル１２を固定することができる。従って、固定具１８が皮膚４４に接触しないため、患者Ｐの不快感を低減できる。また、固定部７２を目視しながら固定部７２に固定具１８をセットすることができるため、固定具１８をセットしやすい。
【０１０５】
固定部７２に固定具１８をセットすることに伴って、カテーテル本体１４のうち固定具１８の先端と刺入部４６の間の部分は、基部７４に設けられた第１収納溝９２に挿入される。また、この際、固定具１８の基端から延出したカテーテル本体１４の一部は、基部７４に設けられた第２収納溝９４に挿入される。この結果、第２収納溝９４からカテーテル１２の余った部分１２ａが延出した状態となる。
【０１０６】
また、固定部７２に固定具１８をセットすることに伴って、固定部７２の底部７３から突出した突起部６２が固定具１８に設けられた孔部２３に挿入される。これにより、本体部７０に対する固定具１８のずれを抑止し、皮膚４４上にカテーテル１２を一層好適に固定することができる。
【０１０７】
次に、ユーザは、図１４のように、皮膚４４上に固定され且つ固定具１８がセットされた状態の基部７４に、蓋部７６を接続する。この際、基部７４に設けられた係合部８２（図１２）が、蓋部７６に設けられた係合溝８８（図１２）と係合する。これにより、意図せずに蓋部７６が基部７４から外れることが防止される。なお、基部７４と蓋部７６との着脱可能な接続構造としては、上述した係合部８２と係合溝８８との係合構造に限られず、例えば、雄ネジと雌ネジとの螺合構造や、凸部と凹部との摩擦による嵌合構造等であってもよい。
【０１０８】
基部７４と蓋部７６との接続に伴って、蓋部７６に設けられた一対の切欠部９０にカテーテル本体１４が挿入される。これにより、カテーテル本体１４は、一対の切欠部９０の箇所で本体部７０から延出した状態になる。
【０１０９】
次に、ユーザは、図１５のように、蓋部７６に設けられた溝部５０にカテーテル１２の余った部分１２ａを収納する。具体的には、ユーザは、蓋部７６の側周面７７の周方向に沿って形成された溝部５０に沿ってカテーテル１２の余った部分１２ａを巻き付けることにより、カテーテル１２を溝部５０に収納する。図１５では、カテーテル１２を略一周巻き付けている。なお、溝部５０に代えて、図８に示した溝部５４が設けられる場合で、カテーテル１２の余った部分１２ａの長さが比較的長い場合には、カテーテル１２を２周以上溝部５４に巻き付けてもよい。
【０１１０】
以上のように、第３実施形態に係るカテーテル固定器具１０Ｃによっても、第１実施形態に係るカテーテル固定器具１０Ａと同様に、カテーテル固定時の煩わしさを解消することができるとともに、カテーテル１２の固定スペースの減少により患者Ｐの負担を軽減することができる。
【０１１１】
特に、カテーテル固定器具１０Ｃでは、本体部７０は、基部７４と、基部７４に着脱可能な蓋部７６とを有し、基部７４と蓋部７６とにより固定具１８を収容可能な収容室７９が形成される。この構成により、収容室７９に固定具１８が収容されるため、固定具１８を保護することができる。
【０１１２】
また、固定部７２は、基部７４に設けられているため、基部７４に設けられ固定部７２に固定具１８をセットした後に、基部７４に蓋部７６を装着することで、固定具１８を簡単に本体部７０内に収容することができる。
【０１１３】
なお、溝部５０に代えて、図３に示した単一の溝からなる溝部３０が蓋部７６に設けられる場合でも、設けられる溝部３０の大きさ（溝幅）が互いに異なる複数の蓋部７６を用意しておくことで、カテーテルサイズ（外径）に合わせて蓋部７６を選択し、基部７４に装着することができる。
【０１１４】
溝部５０（あるいは溝部３０、５４）を蓋部７６に設けずに、基部７４の周壁部８０にカテーテル１２の余った部分１２ａを巻き付け、カテーテル１２が巻き付けられた状態の基部７４に蓋部７６を接続することにより、巻き付けられたカテーテル１２を蓋部７６で覆ってもよい。これによっても、カテーテル１２の余った部分１２ａを収納することができる。この場合、カテーテル１２が巻き付けられた状態の基部７４に蓋部７６を接続できるように、基部７４の周壁部８０の側周面に溝部５０（あるいは溝部３０、５４）を設けるか、あるいは、基部７４の周壁部８０の外径を図１２に示した周壁部８０よりも若干だけ小さくしておくとよい。
【０１１５】
底部７３の中心と、第１収納溝９２の溝底を通る直線上に、厚さ方向に対して貫通する切り欠きを設けてもよい。切り欠きは少なくとも底部７３の中心から第１収納溝９２の溝底にかけて延びる直線の延長線上にある底部の外周部の一点と、この直線上にある底部７３の周壁部８０よりも内側の部分の一点を含むように設けられていればよい。これにより、当該カテーテル本体１４のうち固定具１８の先端と刺入部４６の間の部分の一部を切り欠きに収納し、刺入部４６を周壁部８０よりも内側に配置することができるため、刺入部４６を保護することができる。
【０１１６】
第３実施形態のうち、第１実施形態と共通する部分については、第１実施形態と同一又は同様の作用及び効果が得られる。
【０１１７】
本発明は前記実施形態に限定されるものではなく、本発明の要旨を逸脱しない範囲において、種々の改変が可能である。
【符号の説明】
【０１１８】
１０Ａ〜１０Ｃ…カテーテル固定器具      １２…カテーテル
１４…カテーテル本体                    １８…カテーテル固定具
２６、５８、７０…本体部                ３０、５０、５４…溝部
３２…粘着部                            ３４…第１収容部
３６…第２収容部                        ４０、６４、９２…第１収納溝
４２、６６、９４…第２収納溝
【図１】
2017164257.tif 000003
【図２】
2017164257.tif 000004
【図３】
2017164257.tif 000005
【図４】
2017164257.tif 000006
【図５】
2017164257.tif 000007
【図６】
2017164257.tif 000008
【図７】
2017164257.tif 000009
【図８】
2017164257.tif 000010
【図９】
2017164257.tif 000011
【図１０】
2017164257.tif 000012
【図１１】
2017164257.tif 000013
【図１２】
2017164257.tif 000014
【図１３】
2017164257.tif 000015
【図１４】
2017164257.tif 000016
【図１５】
2017164257.tif 000017